(57)【要約】      （修正有）【課題】呼吸器加湿システムは、同システムの１つ又は複数の他の部品と電子通信が可能であり、これにより加湿器と同システムの他の部品と間のデータ又は制御信号の転送が可能となる加湿器を提供する。【解決手段】いくつかのシステムでは、換気装置などの流れ発生器が呼吸ガスの流れを提供するために設けられる。加湿器と流れ発生器は互いに電子通信が可能である。いくつかの構成では、加湿器の動作モード又はパラメータは、流れ発生器のユーザインターフェースを介し流れ発生器により自動又は手動のいずれかで設定又は確認される。加湿器はまた、加湿器の動作モード又はパラメータを設定又は確認するために流れ発生器又はインキュベータなどの他のシステム部品により提供されるデータを利用することができる。いくつかの構成では、加湿器のユーザインターフェースはネブライザ又はパルス酸素濃度計などの別のシステム部品からのデータを表示することができる。【選択図】図１
2020163205.tif 000002
【特許請求の範囲】
【請求項１】
加湿された呼吸ガスの流れを出力するように構成された加湿器と、
前記加湿器から前記加湿された呼吸ガスの流れを受け取るように構成された呼吸回路と、
使用中において、前記呼吸回路から前記加湿された呼吸ガスの流れを受け取り、前記加湿された呼吸ガスの流れを患者へ送出するように構成された患者インターフェースと、
周辺装置と、
前記周辺装置と前記加湿器との間の電子通信を可能にするように構成された通信接続とを含む呼吸器加湿システム。
【請求項２】
前記加湿器は前記周辺装置からのデータに基づき前記加湿器の動作パラメータ又はモードを設定する、請求項１に記載の呼吸器加湿システム。
【請求項３】
前記加湿器はユーザインターフェースを含み、前記加湿器は前記周辺装置からのデータを前記ユーザインターフェース上に表示する、請求項１または２に記載の呼吸器加湿システム。
【請求項４】
前記加湿器は、ユーザが前記ユーザインターフェースを使用して前記周辺装置の動作パラメータ又はモードを設定できるようにするように構成される、請求項３に記載の呼吸器加湿システム。
【請求項５】
前記加湿器は、前記周辺装置からのデータを流れ発生器に送信するように構成される、請求項１に記載の呼吸器加湿システム。
【請求項６】
前記周辺装置は、流れ発生器と通信するように構成される、請求項１に記載の呼吸器加湿システム。
【請求項７】
前記周辺装置は流れ発生器又は温度調節装置を含む、請求項１に記載の呼吸器加湿システム。
【請求項８】
前記周辺装置は温度調節装置を含み、前記温度調節装置はインキュベータである、請求項１に記載の呼吸器加湿システム。
【請求項９】
前記加湿器は前記インキュベータの外側に配置され、
前記患者インターフェースは前記インキュベータ内に配置され、
前記呼吸回路は前記加湿器と前記患者インターフェースとの間に延長する、請求項８に記載の呼吸器加湿システム。
【請求項１０】
前記呼吸回路は、
前記インキュベータの外に配置された第１の部分と、
前記インキュベータ内に配置された第２の部分と、
熱エネルギーを前記第１の部分へ印加するように構成された第１の加熱素子と、
熱エネルギーを前記第２の部分へ印加するように構成された第２の加熱素子と、
加湿された呼吸ガスの流れのパラメータを検知するように構成され、前記第１の部分内に配置されたセンサとを含む、請求項８または９に記載の呼吸器加湿システム。
【請求項１１】
前記加湿器は、前記センサからのデータと前記インキュベータからのデータとを利用して前記第１の加熱素子及び前記第２の加熱素子を制御する、請求項１０に記載の呼吸器加湿システム。
【請求項１２】
前記センサからの前記データは加湿された呼吸ガスの流れの流量と温度のうちの１つ又は複数を含む、請求項１１に記載の呼吸器加湿システム。
【請求項１３】
前記インキュベータからの前記データは前記インキュベータの現在温度と温度設定点のうちの１つ又は複数を含む、請求項１１または１２に記載の呼吸器加湿システム。
【請求項１４】
前記周辺装置はネブライザ又はパルス酸素濃度計である、請求項１〜１３のいずれかに記載の呼吸器加湿システム。
【請求項１５】
前記ネブライザは、前記加湿器にネブライザデータを送信するように構成される、請求項１４に記載の呼吸器加湿システム。
【請求項１６】
前記加湿器は、前記ネブライザの動作を制御するために前記ネブライザに制御信号を送信するように構成される、請求項１４または１５に記載の呼吸器加湿システム。
【請求項１７】
前記加湿器は、前記ネブライザのタイプに基づいて前記加湿器の動作パラメータ又はモードを設定する、請求項２を引用する請求項１４〜１６のいずれかに記載の呼吸器加湿システム。
【請求項１８】
前記ネブライザデータはアラーム条件を含む、請求項１５〜１７のいずれかに記載の呼吸器加湿システム。
【発明の詳細な説明】
【技術分野】
【０００１】
本発明は呼吸器加湿システム及び方法に関する。特に、本発明は、他のシステム部品と電子通信が可能な呼吸器加湿器、このような加湿器を含むシステム、及び関連方法に関する。
【背景技術】
【０００２】
いくつかの状況下では、加湿呼吸ガスを患者へ供給することが必要である又は望ましい。このような場合、呼吸回路と患者インターフェースとを介し患者へ加湿呼吸ガスを供給するために呼吸器加湿器を使用することができる。いくつかの構成では、本システムは呼吸器支援を患者へ提供する。したがって、このようなシステムは、しばしば一定又は可変正圧で呼吸ガスの流れを患者へ提供するために換気装置などの流れ発生器を含み得る。既存システムでは、流れ発生器、加湿器、及びシステムの他の部品のそれぞれは通常、それ自身のセンサと、いくつかの部品に対してはユーザインターフェースとを含む。通常、各部品は、他の部品から独立に設定され、それ自身のセンサから収集される情報を利用することによりその制御処理を行う。したがって、本発明の目的は、有益な選択を一般の人々に少なくとも提供することである。
【発明の概要】
【課題を解決するための手段】
【０００３】
本発明の態様は、呼吸器加湿システムの部品間の電子通信を提供することで、既存システムと比較して同様なコスト又は低減されたコストで、システムの個々の部品とシステム全体の性能の改善を可能にするであろう本発明者による実現に関わる。１つ又は複数の好ましい実施形態は、加湿器と流れ発生器などのシステムの他の部品との間の通信を提供する。本発明の１つの好ましい実施形態は、呼吸器加湿システムの他の部品との電子通信のために構成された加湿器である。他の好ましい実施形態はこのような加湿器と関連方法とを取り入れたシステムに関する。
【０００４】
好ましい実施形態は、システムの１つ又は複数の他の部品との電子通信が可能でありしたがって加湿器とシステムの他の部品との間のデータ又は制御信号の転送が可能な加湿器を含む呼吸器支援及び／又は加湿システムに関わる。いくつかのシステムでは、換気装置などの流れ発生器が呼吸ガスの流れを提供するために設けられる。加湿器と流れ発生器は相互の電子通信が可能である。いくつかの構成では、加湿器の動作モード又はパラメータは、流れ発生器のユーザインターフェースを介し自動又は手動のいずれかで流れ発生器により設定又は確認される。加湿器はまた、加湿器の動作モード又はパラメータを設定又は確認するために流れ発生器又はインキュベータなど他のシステム部品により提供されるデータを利用することができる。いくつかの構成では、加湿器のユーザインターフェースは別のシステム部品からのデータを表示することができる、又はユーザインターフェースはネブライザ又はパルス酸素濃度計など他のシステム部品を制御するように構成され得る。
【０００５】
好ましい実施形態は呼吸器加湿システムに関わる。本システムは、呼吸ガスの流れを送出するように構成された流れ発生器を含む。加湿器は呼吸ガスの流れを流れ発生器から受け取り、加湿された呼吸ガスの流れを出力する。呼吸回路は加湿呼吸ガスの流れを加湿器から受け取り、患者インターフェースは加湿呼吸ガスの流れを呼吸回路から受け取る。患者インターフェースは加湿呼吸ガスの流れを患者へ送出する。加湿器と流れ発生器との間の通信接続は加湿器と流れ発生器との間の電子通信を可能にするように構成される。
【０００６】
いくつかの構成では、流れ発生器は、流れ発生器の動作パラメータ又はモードに基づき加湿器の動作パラメータ又はモードを自動的に設定する。
【０００７】
いくつかの構成では、流れ発生器は、ユーザが流れ発生器のユーザインターフェースを使用することにより加湿器の動作パラメータ又はモードを設定できるようにするように構成されたユーザインターフェースを含む。流れ発生器は、ユーザが加湿器の動作パラメータ又はモードを設定するためのプロンプトをユーザインターフェース上に提供することができる。動作パラメータ又はモードの設定は加湿器の初期設定モードを確認することを含むことができる。
【０００８】
いくつかの構成では、加湿器は、流れ発生器の動作パラメータ又はモードに基づき加湿器の動作パラメータ又はモードを自動的に設定する。流れ発生器の動作パラメータは呼吸ガスの流れの流量を含み得る。
【０００９】
いくつかの構成では、本システムは、呼吸回路と加湿器との間の電子通信を可能にするように構成された加湿器と呼吸回路との間の通信接続を含むことができる。呼吸回路は呼吸回路データを加湿器へ伝達することができ、加湿器は呼吸回路データを流れ発生器へ伝達することができ、流れ発生器は呼吸回路データに基づき動作パラメータ又はモードを設定する。呼吸回路データは、呼吸回路が加湿器へ接続されると加湿器へ自動的に伝達され得る。
【００１０】
いくつかの構成では、流れ発生器は中央監視システム又は電子患者データ記録システムと通信するように構成され、流れ発生器は加湿器の動作パラメータ又はモードを中央監視システム又は電子患者データ記録システムへ伝達するように構成される。
【００１１】
いくつかの構成では、システムはさらに、温度調節装置と、温度調節装置と加湿器との間の電子通信を可能にするように構成された通信接続とを含む。温度調節装置に関するデータは加湿器へ伝達され得、加湿器は温度調節装置に関するデータに基づき動作パラメータ又はモードを設定できる。温度調節装置はインキュベータであり得、温度調節装置に関するデータは温度レベルを含み得る。加湿器はインキュベータの外に配置され得、患者インターフェースはインキュベータ内に配置され得、呼吸回路は加湿器と患者インターフェースとの間で延長可能であり、呼吸回路は、インキュベータの外に配置された第１の部分とインキュベータ内に配置された第２の部分とを含むことができ、第１の加熱素子は熱エネルギーを第１の部分に印加するように構成され得、第２の加熱素子は熱エネルギーを第２の部分に印加するように構成され得、センサは加湿呼吸ガスの流れのパラメータを検知するように構成され得、センサは第１の部分内に配置され得、加湿器はセンサからのデータとインキュベータからのデータとを利用することにより第１の加熱素子及び第２の加熱素子を制御することができる。センサからのデータは加湿呼吸ガスの流れの流量と温度のうちの１つ又は複数を含み得る。インキュベータからのデータはインキュベータの現在温度と温度設定点のうちの１つ又は複数を含み得る。
【００１２】
いくつかの構成では、本システムはさらに、周辺装置と、周辺装置と加湿器との間の電子通信のために構成された通信接続とを含むことができる。加湿器は、周辺装置からのデータに基づき加湿器の動作パラメータ又はモードを設定できる。加湿器はユーザインターフェースを含むことができ、加湿器は周辺装置からのデータをユーザインターフェース上に表示することができる。加湿器は、ユーザがユーザインターフェースを使用することにより周辺装置の動作パラメータ又はモードを設定できるようにするように構成され得る。
周辺装置はネブライザ又はパルス酸素濃度計であり得る。
【００１３】
好ましい実施形態は、加湿された呼吸ガスの流れを出力する加湿器を含む呼吸器加湿システムに関する。呼吸回路は加湿呼吸ガスの流れを加湿器から受け取る。患者インターフェースは加湿呼吸ガスの流れを呼吸回路から受け取り、加湿呼吸ガスの流れを患者へ送出する。本システムはまた、温度調節装置と、温度調節装置と加湿器との間の電子通信を可能にするように構成された通信接続とを含む。
【００１４】
いくつかの構成では、加湿器はさらにユーザインターフェースを含み、本システムは、ユーザが加湿器のユーザインターフェースを使用することにより温度調節装置の動作パラメータ又はモードを設定できるようにするように構成される。温度調節装置に関するデータは加湿器へ伝達され得、加湿器は温度調節装置に関するデータに基づき動作パラメータ又はモードを設定できる。温度調節装置はインキュベータであり得る。加湿器はインキュベータの外に配置され得、患者インターフェースはインキュベータ内に配置され得、呼吸回路は加湿器と患者インターフェースとの間で延長可能であり、呼吸回路はインキュベータの外に配置された第１の部分とインキュベータ内に配置された第２の部分とを含むことができ、第１の加熱素子は熱エネルギーを第１の部分へ印加するように構成され得、第２の加熱素子は熱エネルギーを第２の部分へ印加するように構成され得、センサは加湿呼吸ガスの流れのパラメータを検知するように構成され得、センサは第１の部分内に配置され得、加湿器は第１の加熱素子を制御することができ、第２の加熱素子はセンサからのデータとインキュベータからのデータを利用することができる。温度調節装置はインキュベータであり得、本システムはさらに、呼吸回路内に配置されるとともに加湿呼吸ガスの流れのパラメータを検知するように構成されたセンサを含むことができ、センサからのデータは加湿呼吸ガスの流れの流量と温度のうちの１つ又は複数を含み得る。インキュベータからのデータはインキュベータの現在温度と温度設定点のうちの１つ又は複数を含み得る。
【００１５】
好ましい実施形態は、加湿された呼吸ガスの流れを出力する加湿器を含む呼吸器加湿システムに関わる。呼吸回路は加湿呼吸ガスの流れを加湿器から受け取る。患者インターフェースは加湿呼吸ガスの流れを呼吸回路から受け取り、加湿呼吸ガスの流れを患者へ送出する。本システムはまた、周辺装置と、周辺装置と加湿器との間の電子通信を可能にするように構成された通信接続とを含む。
【００１６】
いくつかの構成では、加湿器は周辺装置からのデータに基づき加湿器の動作パラメータ又はモードを設定する。加湿器はユーザインターフェースを含むことができ、加湿器は、周辺装置からのデータをユーザインターフェース上に表示することができる。加湿器は、ユーザがユーザインターフェースを使用することにより周辺装置の動作パラメータ又はモードを設定できるようにするように構成され得る。周辺装置はネブライザ又はパルス酸素濃度計であり得る。
【００１７】
いくつかの構成では、周辺装置は流れ発生器又は温度調節装置であり得る。流れ発生器は、流れ発生器の動作パラメータ又はモードに基づき加湿器の動作パラメータ又はモードを自動的に設定できる。
【００１８】
いくつかの構成では、流れ発生器は、ユーザが流れ発生器のユーザインターフェースを使用することにより加湿器の動作パラメータ又はモードを設定できるようにするように構成されたユーザインターフェースを含む。流れ発生器は、ユーザが加湿器の動作パラメータ又はモードを設定するためのプロンプトをユーザインターフェース上に提供することができる。動作パラメータ又はモードの設定は加湿器の初期設定モードを確認することを含むことができる。
【００１９】
いくつかの構成では、加湿器は流れ発生器の動作パラメータ又はモードに基づき加湿器の動作パラメータ又はモードを自動的に設定する。流れ発生器の動作パラメータは呼吸ガスの流れの流量を含み得る。
【００２０】
いくつかの構成では、本システムは、呼吸回路と加湿器との間の電子通信を可能にするように構成された加湿器と呼吸回路との間の通信接続を含むことができる。呼吸回路は呼吸回路データを加湿器へ伝達することができ、加湿器は呼吸回路データを流れ発生器へ伝達することができ、流れ発生器は呼吸回路データに基づき動作パラメータ又はモードを設定する。呼吸回路データは、呼吸回路が加湿器へ接続されると加湿器へ自動的に伝達され得る。
【００２１】
いくつかの構成では、流れ発生器は中央監視システム又は電子患者データ記録システムと通信するように構成され、流れ発生器は加湿器の動作パラメータ又はモードを中央監視システム又は電子患者データ記録システムへ伝達するように構成される。
【００２２】
いくつかの構成では、温度調節装置に関するデータは加湿器へ伝達され得、加湿器は温度調節装置に関するデータに基づき動作パラメータ又はモードを設定できる。温度調節装置はインキュベータであり得、温度調節装置に関するデータは温度レベルを含み得る。加湿器はインキュベータの外に配置され得、患者インターフェースはインキュベータ内に配置され得、呼吸回路は加湿器と患者インターフェースとの間で延長可能であり、呼吸回路はインキュベータの外に配置された第１の部分とインキュベータ内に配置された第２の部分とを含むことができ、第１の加熱素子は熱エネルギーを第１の部分へ印加するように構成され得、第２の加熱素子は熱エネルギーを第２の部分へ印加するように構成され得、センサは加湿呼吸ガスの流れのパラメータを検知するように構成され得、センサは第１の部分内に配置され得、加湿器はセンサからのデータとインキュベータからのデータとを利用することにより第１の加熱素子及び第２の加熱素子を制御することができる。センサからのデータは加湿呼吸ガスの流れの流量と温度のうちの１つ又は複数を含み得る。インキュベータからのデータはインキュベータの現在温度と温度設定点のうちの１つ又は複数を含み得る。
【００２３】
好ましい実施形態は、呼吸器加湿器を動作させる方法であって、加湿器と、呼吸ガスの流れを加湿器へ提供する流れ発生器との間の電子通信を確立する工程と、流れ発生器の動作パラメータ又はモードに基づき加湿器の動作パラメータ又はモードを自動的に設定する工程とを含む方法に関する。
【００２４】
いくつかのケースでは、流れ発生器は加湿器の動作パラメータの設定を指示する。加湿器の動作パラメータの設定は、流れ発生器の動作パラメータ又はモードに基づき加湿器により行われ得る。
【００２５】
いくつかのケースでは、本方法はさらに、呼吸回路のパラメータに関する呼吸回路データを電子通信接続上で加湿器へ送信する工程と、呼吸回路データを流れ発生器へ送信する工程と、呼吸回路データに基づき換気装置の動作パラメータ又はモードを設定する工程とを含む。呼吸回路データを加湿器へ送信する工程は、呼吸回路が加湿器へ接続されると自動的に発生し得る。
【００２６】
いくつかのケースでは、本方法はさらに、加湿器に関するデータを流れ発生器を介し中央監視システム又は電子患者データ記録システムへ送信する工程を含む。本方法はさらに、加湿呼吸ガスの流れをインキュベータ内に配置された患者インターフェースへ送出する工程と、インキュベータから加湿器へ送信されたインキュベータの動作パラメータ又はモードに関するデータに基づき加湿器の動作パラメータ又はモードを設定する工程とを含む。
【００２７】
好ましい実施形態は、呼吸器加湿器を動作させる方法であって、加湿器と、加湿器に呼吸ガスの流れを提供する流れ発生器との間の電子通信を確立する工程と、流れ発生器のユーザインターフェースを使用することにより加湿器の動作パラメータ又はモードを設定する工程とを含む方法に関わる。
【００２８】
いくつかのケースでは、本方法はさらに、呼吸回路のパラメータに関する呼吸回路データを電子通信接続上で加湿器へ送信する工程と、呼吸回路データを流れ発生器へ送信する工程と、呼吸回路データに基づき換気装置の動作パラメータ又はモードを設定する工程とを含む。呼吸回路データを加湿器へ送信する工程は、呼吸回路が加湿器へ接続されると自動的に発生し得る。本方法はさらに、加湿器に関するデータを流れ発生器を介し中央監視システム又は電子患者データ記録システムへ送信する工程を含むことができる。本方法はさらに、加湿呼吸ガスの流れをインキュベータ内に配置された患者インターフェースへ送出する工程と、インキュベータから加湿器へ送信されたインキュベータの動作パラメータ又はモードに関するデータに基づき加湿器の動作パラメータ又はモードを設定する工程とを含むことができる。
【００２９】
好ましい実施形態は、呼吸器加湿器を動作させる方法であって、加湿器とインキュベータとの間の電子通信を確立する工程と、加湿呼吸ガスの流れを加湿器からインキュベータ内に配置された患者インターフェースへ供給する工程と、インキュベータから加湿器へ送信されたインキュベータの動作パラメータ又はモードに関するデータを使用して加湿器の動作パラメータ又はモードを設定する工程とを含む方法に関する。
【００３０】
いくつかのケースでは、本方法はさらに、加湿器のユーザインターフェースを使用してインキュベータの動作パラメータ又はモードを設定する工程を含む。
【００３１】
好ましい実施形態は、呼吸器加湿器を動作させる方法であって、加湿器と周辺装置との間の電子通信を確立する工程と、周辺装置の動作パラメータ又はモードを含む周辺装置データを周辺装置から加湿器へ送信する工程と、周辺装置データを加湿器のユーザインターフェース上に表示する工程とを含む方法に関する。
【００３２】
いくつかのケースでは、本方法はさらに、加湿器のユーザインターフェースを使用して周辺装置の動作パラメータ又はモードを設定する工程を含む。本方法はさらに、周辺装置データに基づき加湿器の動作パラメータ又はモードを設定する工程を含む。
【００３３】
本発明を例示するが限定しないように意図された本発明のいくつかの特徴、態様、及び利点を有する好ましい実施形態について添付図面を参照して説明する。添付図面は１３の図を含む。
【図面の簡単な説明】
【００３４】
【図１】本発明のいくつかの特徴、態様、及び利点を有する呼吸器加湿システムを示す。図示の呼吸器加湿システムはガス流生成器、加湿器、及び呼吸回路を含む。
【図２】図１の呼吸器加湿システムの流れ発生器と加湿器との間のデータ通信接続を示す。
【図３】流れ発生器を使用して加湿器の動作パラメータを設定又は確認するための制御ルーチンを示す。
【図４】流れ発生器の動作パラメータの設定又は確認のための呼吸回路に関するデータを流れ発生器へ送信するために加湿器を使用するための制御ルーチンを示す。
【図５】流れ発生器に関するデータを加湿器へ伝達するとともに同データを使用して加湿器の動作パラメータを設定又は確認するための制御ルーチンを示す。
【図６】システムデータを中央監視システム又は電子患者データ記録システムへ伝達可能な図１のシステムと同様なシステムなどの呼吸器加湿システムを示す。
【図７】図６のシステムのシステムデータを流れ発生器を介し加湿器から中央監視システムへ伝達するための制御ルーチンを示す。
【図８】図１のシステムと同様なシステムなどの呼吸器加湿システムであってインキュベータを内蔵する呼吸器加湿システムを示す。
【図９】図８の呼吸器支援システムの流れ発生器とインキュベータとの間のデータ通信接続を示す。
【図１０】インキュベータに関するデータに基づき加湿器の動作パラメータを設定又は確認するための制御ルーチンを示す。
【図１１】図１のシステムと同様なシステムなどの呼吸器加湿システムであってネブライザ及び／又はパルス酸素濃度計などの周辺装置を内蔵する呼吸器加湿システムを示す。
【図１２】加湿器、呼吸回路、及び周辺装置を含む呼吸器加湿システムを示す。
【図１３】周辺装置に関するデータを加湿器のインターフェース上に表示し及び／又は図１２のシステムにおける加湿器のインターフェースを使用して周辺装置の動作パラメータを設定又は確認するための制御ルーチンを示す。
【発明を実施するための形態】
【００３５】
本明細書に開示される呼吸器加湿部品、システム、及び関連方法のうちの１つ又は複数の実施形態は本システムの２つ以上の部品間の電子通信を提供する。少なくとも１つの構成では、第１のシステム部品の動作モード又はパラメータに関するデータは第２のシステム部品へ伝達され、第２のシステム部品は、第２のシステム部品又は別のシステム部品の動作モード又はパラメータを設定又は確認するために同データを利用することができる。
少なくとも１つの構成では、第１のシステム部品と第２のシステム部品との間のデータの通信は、第１又は第２のシステム部品の一方のユーザインターフェースが第１又は第２のシステム部品の他方に関するデータを表示又は記録すること（又はそれを制御すること）を可能にする。少なくとも１つの構成では、第１のシステム部品は第２のシステム部品へ接続され、第２のシステム部品に関するデータを取得することができる。次に、第１のシステム部品は同データを第３のシステム部品へ伝達することができ、第３のシステム部品は第３のシステム部品の動作パラメータ又はモードを設定又は確認するために同データを使用することができる。少なくとも１つの構成では、第１のシステム部品は第２のシステム部品へ接続され、第２のシステム部品に関するデータを取得することができる。次に、第１のシステム部品は第３のシステム部品の動作パラメータ又はモードを設定又は確認するために同データを使用することができる。このようなシステムと方法の例が本明細書に開示されるが、本発明のいくつかの特徴、態様、及び利点を限定するのではなく例示することを目的とする。
【００３６】
図１に、参照番号１０により概して参照される呼吸器加湿システムを示す。システム１０は好適には、加湿呼吸ガスの流れを適切な患者インターフェース１２を介しユーザ又は患者（図示せず）へ提供し、システム１０の２つ以上の部品間のシステムデータの伝達を可能にする。図示のシステム１０は、好適な呼吸ガスの流れを提供することができる流れ発生器１４を含む。図示の構成では、流れ発生器１４は、空気、酸素、又は空気／酸素混合物を環境気圧を越える連続的又は可変圧力で患者インターフェース１２へ提供することができる換気装置である。したがって、流れ発生器１４は本明細書では換気装置とも呼ばれる。好適には、換気装置１４は、換気装置１４により供給される呼吸ガスのタイミング、圧力、容積、又は流量などいくつかの換気装置機能の電子又はコンピュータ制御を含む電子換気装置である。換気装置１４はまた、関連換気装置データ及びオペレーティングプロトコルを格納するためのメモリを含む。
【００３７】
好適には、換気装置１４はまた、換気装置動作データ及び情報を表示するユーザインターフェース１６を含む。好適には、ユーザインターフェース１６はまた、ユーザがデータ又は情報を入力することにより又は換気装置１４の様々な動作設定又はモードを設定又は確認することにより換気装置１４と相互作用できるようにする。ユーザインターフェース１６は、ボタン、ノブ、キー、ナビゲーションリングなどのユーザ入力と組み合わせた表示画面を含む任意の好適な構成であり得る。１つの好ましい構成では、ユーザインターフェース１６は情報を表示しユーザ入力を受信することができるタッチスクリーンであり得る。タッチスクリーンは、単独のユーザ入力であり得る、又は前述のものなど他のユーザ入力と組み合わせて使用され得る。
【００３８】
図示のシステム１０では、ガスボンベ、呼吸ガスの壁供給源、又は任意の他の好適な源であり得る呼吸ガス源１８が換気装置１４へ接続される。呼吸ガスは、空気、酸素、空気と酸素の混合、又は水素、ヘリウム、又は窒素などの呼吸療法に使用される任意の他の好適なガスであり得る。いくつかの実施形態では、換気装置１４は、呼吸ガスの流れを生成するために、室内空気又は外気を単独で、又は呼吸ガス源１８からのガスと組み合わせて利用する。換気装置１４は好適には、外気と呼吸ガス源１８からの呼吸ガスとを精密に混合し、圧力、容積、流量、又は時間などの所望の値又は範囲の１つ又は複数のパラメータに従って、混合された空気とガス（「呼吸ガス」と総称される）を送出することができる。他の実施形態では、流れ発生器１４は外気又は室内空気を利用しない。
【００３９】
換気装置１４から出力される呼吸ガスの流れは好適には、吸気管又は供給管２２などの好適な導管により加湿器システム（又は加湿器２０）へ送出される。加湿器２０は、加湿呼吸ガスの流れを提供管２４などの好適な導管を介し患者インターフェース１２へ出力するために、水などの湿気又は気化液体を、換気装置から受け取った呼吸ガスの流れへ供給する。好適には、加湿器２０は、摂氏約３７度の最適温度及び約４４ｍｇ／Ｌの絶対湿度（すなわち１００％相対湿度）などの設定点又は所望温度及び絶対又は相対湿度で、又は最適温度及び絶対又は相対湿度の望ましい又は許容範囲内で、加湿呼吸ガスの流れを出力することができる。例えば、絶対湿度の許容範囲は、約３３ｍｇ／Ｌ（すなわち、摂氏３７度における約７４．８５％の対応相対湿度）以上の任意の値であり得る。
【００４０】
加湿器２０は加湿器ユニットと湿度室とを含むことができる。湿度室は、呼吸ガスの流れへ転送される蒸気を湿度室内に生成するために加湿器ユニットにより加熱される一定量の水などの液体を保持することができる。湿度室は必要に応じて、一定量の液体を補充するために湿度室に液体源２６が接続された自動充填タイプのものであり得る。加湿器ユニットの基本的構造と動作原理の例は、本出願の譲受人Ｆｉｓｈｅｒ  ＆  Ｐａｙｋｅｌ  Ｈｅａｌｔｈｃａｒｅ  Ｌｔｄ．により販売されるＭＲ８５０加湿器である。好適な湿度室は、本出願の譲受人により販売されるＭＲ２２５又はＭＲ２９０湿度室である。しかし、本明細書に記載されるように、本加湿器２０はまた、システム１０の部品のうちの１つ又は複数（換気装置１４又は他の流れ発生器を好適には含む）との電子通信のために構成される。
【００４１】
供給管２４は、呼吸ガスの流れの温度が供給管２４内で高いレベルに維持されるような、及び供給管２４又は患者インターフェース１２内の凝縮を回避又は制限するための、加熱供給管であり得る。供給管２４は電力源又は熱源へ接続される加熱素子を含むことができる。好適には、加湿器２０は加熱素子へ電力を供給するように構成される。センサ又はプローブ（図１に示さず）は、呼吸ガスの流れの温度及び／又は流量など加湿呼吸ガスの流れのパラメータを検知するために供給管２４を介し加湿器２０と供給管２４とに結合することができる。好適には、センサは供給管２４の吸気口端から離間されており、いくつかの構成では供給管２４の排気口端に配置され得る。センサは、センサデータ（例えば、温度及び／又は流量）を加湿器２０へ送信するために加湿器２０へ結合され得る。加湿器２０は、例えば供給管２４内の呼吸ガスの流れの温度及び／又は湿度を所望レベルに又は所望又は許容範囲内に維持するための加熱板又は素子の電力レベルなどの加湿器２０の動作パラメータを制御するためにセンサ４８からの情報を利用することができる。
【００４２】
加湿器２０からは、加湿呼吸ガスの流れが患者インターフェース１２へ供給される。患者インターフェース１２は、呼吸ガスを患者の呼吸器系へ供給することができる任意の好適なタイプのインターフェースであり得る。例えば、患者インターフェース１２は患者の鼻と口の両方を覆うフェースマスク又は患者の鼻だけを覆う鼻マスクであり得る。鼻カニュラ、鼻管、又は患者の鼻孔内に挿入される他の構造を含み得る鼻インターフェース、又はカテーテルマウントなどの適切なインターフェース装置などの他の好適な患者インターフェース１２もまた、気管内管、気管切開術（気管）管、又は他の侵襲性インターフェースと組み合わせて使用することができる。
【００４３】
いくつかの実施形態では、患者インターフェース１２は、呼吸ガスの流れを患者へ送出し呼気ガスを患者から受け取る密閉又はほぼ密閉されたシステムを提供する。好適には、システム１０は、呼吸ガスがほぼ患者インターフェース１２の吸気口から患者インターフェース１２の排気口の方向にシステム１０内で絶えず流れている偏った流れシステムである。したがって、患者は呼吸ガスの流れの一部を吸入することができ、残りの部分は患者インターフェース１２を通過される。呼気ガス（ｅｘｈａｌｅｄ  ｏｒ  ｅｘｐｉｒａｔｏｒｙ  ｇａｓｅｓ）は、呼吸ガス（ｂｒｅａｔｈｉｎｇ  ｇａｓ）の流れと混じり、呼吸ガスの流れの未使用部分と共に特許インターフェース１２から出ることができる。患者の呼気ガスと未使用呼吸ガスのいずれか又は両方が任意特定時点で存在し得るということが理解されるが、便宜上、患者インターフェース１２から出るガスは呼気ガス、又は呼吸ガスの流れと呼ばれる。
【００４４】
新生児用途などのいくつかの用途では、例えば、呼気ガスは、患者インターフェース１２から、システム１０内の最低圧力を好適には周囲圧又は大気圧を越えたレベルに調節するように構成された任意選択的な呼気圧装置（ｅｘｐｉｒａｔｏｒｙ  ｐｒｅｓｓｕｒｅ
ｄｅｖｉｃｅ）３０へ流れる。好適には、呼気圧装置３０は呼気管３２などの好適な導管により患者インターフェース１２へ接続される。呼気圧装置３０は、特定システム１０、流れ発生器１４のタイプ、又は治療プロトコルに依存して任意の好適な構成なものであり得る。例えば、呼気圧装置３０は、システム１０からの呼気ガスの流出を調節する呼気弁又は呼気ポートであり得る。呼気弁３０は、流れ発生器１４から離れて配置され得る、又は流れ発生器１４に配置され得る、又は流れ発生器と一体にされ得、その場合には、呼気管３２は、図１（及び本明細書の他の図面）の破線により示されるような流れ発生器１４まで延長することができる。別の構成では、呼気圧装置３０は、患者インターフェース１２に直接接続又はそれと一体化され得る。
【００４５】
好適には、呼気圧装置３０はシステム１０内の及び特に患者インターフェース１２における最低圧力又は最低背圧（呼吸終末陽圧（ＰＥＥＰ：ｐｏｓｉｔｉｖｅ  ｅｎｄ  ｅｘｐｉｒａｔｉｏｎ  ｐｒｅｓｓｕｒｅ）と呼び得る）を提供するように構成される。いくつかのシステムでは、ＰＥＥＰは持続的気道陽圧（ＣＰＡＰ：ｃｏｎｔｉｎｕｏｕｓ  ｐｏｓｉｔｉｖｅ  ａｉｒｗａｙ  ｐｒｅｓｓｕｒｅ）にほぼ等しいか又は等しい。したがって、このような装置３０をＣＰＡＰ生成器と呼び得る。いくつかの構成では、呼気圧装置３０は、平均ＰＥＥＰ圧力に対する圧力振動を与えることができる振動弁であり得る。
１つのタイプの振動圧力呼気圧装置３０は、しばしば気泡管（ｂｕｂｂｌｅｒ）と呼ばれる流体抵抗弁特に液体又は水抵抗弁である。一般的に、水抵抗弁は呼気ガスを、貯水槽内に沈められた排気口へ送出するので、周囲圧又は大気圧により引き起こされるものより大きく、かつ貯水槽内の水の表面に対する排気口の深さに関係する、呼気ガスの流出に対する抵抗を生じる。いくつかの構成では、排気口の深さはＰＥＥＰが所望のレベルに調整されるように調整可能である。好適な１つの気泡管は、本出願の譲受人により販売されるＢｕｂｂｌｅ  ＣＰＡＰ発生器である。好適な気泡管装置のさらなる詳細は、参照により本明細書にその全体を援用する米国特許第６，８０５，１２０号明細書に記載されている。
気泡管（又は他の振動加圧装置）は約５〜３０Ｈｚの周波数で患者の胸内に振動を生成できることが好ましい。
【００４６】
しかし、呼気圧装置３０は必要ではなく、多くの用途では省略され得る。呼気ガスは、任意の好適な構成（例えば、システム１０内の圧力を調節してもしなくてもよい又は調節の際に支援してもしなくてもよい単純な呼気ポート）により任意の好適なやり方でシステム１０から排出され得る。いくつかの構成では、呼気管３２は、呼気圧装置３０を内蔵することなく、患者インターフェース１２から換気装置１４へ延長することができる。呼気ポート又は弁は、任意の適切なやり方で呼気ガスの放出を調節するために、換気装置１４内に内蔵され得る。例えば、呼気ポート又は弁は大きな抵抗の有無にかかわらず、呼気ガスを放出することができない閉位置と呼気ガスを放出することができる開位置とを有することができる。
【００４７】
図示のシステム１０は吸気回路と呼気回路とを有するように考慮され得る。図示の構成では、吸気回路は、流れ発生器１４（及び呼吸ガス源１８）、供給管２２、加湿器２０、及び供給管３４のすべて又は一部を含むことができる。呼気回路は、呼気管３２と任意選択的な呼気圧装置３０のすべて又は一部を含むことができる。患者インターフェース１２の一部は、患者による吸気の前に又は患者に利用可能となる前に吸入呼吸ガスの流れにより大部分は占有され得、一方、患者インターフェース１２の別の部分は、患者により吐き出された又は患者をバイパスした呼気ガスの流れにより大部分は占有され得る。したがって、患者インターフェース１２は吸気回路と呼気回路のそれぞれの一部を形成するように考慮され得る。患者インターフェース１２の一部はまた、少なくともある時間の間吸気ガスと呼気ガスの混合物を含むことができ、吸気回路又は呼気回路のいずれかの一部と考えなくてもよいし、又はそれぞれの一部と考えてもよい。
【００４８】
システム１０のある部分は呼吸回路と呼ばれ得、参照番号４０により概して示される。
通常、呼吸回路４０は、システム１０の部品間に呼吸ガスの流れを送る導管又は管類を少なくとも含む。いくつかのケースでは、呼吸回路はまた、患者インターフェース１２及び／又は加湿器２０又はその一部（例えば、加湿器チャンバ）を含むことができる。図示の構成では、呼吸回路４０は、供給管２２、供給管２４、及び呼気管３２のうちの１つ又は複数を含むことができる。呼吸回路４０の管２２、２４、３２は、螺旋巻き補強材などの補強構体により強化されることができる軟質プラスチック材料から構成された蛇管又は管であり得る。呼吸回路４０の管２２、２４、３２は、本来いくぶん弾性的であり得、システム１０内の圧力変化に応じて管２２、２４、３２は屈曲又は変形（例えば、膨張と収縮）を生じ得る。管２２、２４、３２のこの変形は、呼吸回路４０の全容積をシステム圧力に応じて変化させ、呼吸回路４０の「コンプライアンス」と呼ばれる。特定の呼吸回路４０のコンプライアンスは、呼吸ガスの送出を精密に制御する際に流れ発生器１４を支援するために役立つ情報である。これは、システム１０の容積の変化を、そうでなければ患者により利用されている呼吸ガスと解釈され得るからである。
【００４９】
呼吸ガスの送出を精密に制御する際に流れ発生器１４を支援するために役立つ情報であるシステム１０の別の特性はシステム１０のリーク速度である。リーク速度は、患者インターフェース１２と患者との間におけるシステム１０の部品間のリークの結果としてのシステム１０からの呼吸ガスの損失又は他のシステム損失の速度である。全リーク速度は、システム１０の様々な部分内のリーク速度部分に分解することができる。特に、呼吸回路４０内のリーク速度の判断又は推定は、呼吸ガスの送出を精密に制御する際に流れ発生器１４を支援するために役立つ情報であり得る。特定の呼吸回路４０のリーク速度は、呼吸回路モデルのサンプルサイズの理論計算又は実測に基づくなどにより推定できるかもしれない。特定の呼吸回路４０のリーク速度はまた、製造時に測定できるかもしれない。
【００５０】
呼吸回路４０はまた、呼吸ガスの吸気流れと呼気流れの両方を処理する部分を含むことができる。このような部分の容積は呼吸回路４０のデッドスペースを規定する。デッドスペースはまた、患者により利用される呼吸ガスの実際の容積を流れ発生器１４が判断できるようにすることにより呼吸ガスの送出を精密に制御する際に流れ発生器１４を支援するために役立つ情報である。コンプライアンス、リーク速度、及びデッドスペースなどの呼吸表面４０に関する情報の一部又はすべては、以下に述べるようにシステム１０による使用のために、好適にはいくつかのタイプの不揮発性メモリなど（ＥＥＰＲＯＭ、ＲＦＩＤ、バーコードなど）の電子的形式又は電子的可読形式で呼吸回路４０に備えられ得る。
【００５１】
好適には、システム１０はシステム１０の２つ以上の部品間の電子通信を可能にするように構成される。図示の構成では、加湿器２０と流れ発生器又は換気装置１４は通信接続５０を介し電子通信可能である。同様に、加湿器２０と呼吸回路４０は通信接続５２を介し電子通信可能である。通信接続５０、５２は、有線接続又は無線接続を含みかつ任意の好適な通信プロトコルを利用する任意の好適な構成のものであり得る。通信接続５０、５２はシステム部品間で直接的なものであってもよいし、間接的なものであってもよい（例えば、他のシステム部品を介し、又はＷｉ−Ｆｉネットワークなどのネットワーク上で）。
【００５２】
このような構成により、情報は加湿器２０と呼吸回路４０との間又は加湿器２０と換気装置１４との間で送信され得る。例えば、呼吸回路４０に関する情報は、加湿器２０へ送信され得、加湿器２０の１つ又は複数の動作パラメータ又は動作モードを設定又は確認するために加湿器２０により使用され得る。呼吸回路４０に関する情報はまた、加湿器２０により換気装置１４へ提供されるかもしれない。換気装置１４は、換気装置１４の１つ又は複数の動作パラメータ又は動作モードを設定又は確認するためにこの情報を利用することができる。加湿器２０に関する情報もまた、同様な目的のため換気装置１４へ伝達することができる。
【００５３】
いくつかの構成では、通信接続５０、５２は、１つの部品が別の部品を制御できるようにするために、制御信号がシステム１０の様々な部品間で送信されるようにし得る。例えば、換気装置１４は、加湿器２０の１つ又は複数の動作パラメータ又は動作モードを設定又は確認することができる。換気装置１４は、加湿器２０を自動的に制御することができる、又はシステム１０のユーザがユーザインターフェース１６を利用することにより加湿器２０の１つ又は複数の動作パラメータ又は動作モードを設定又は確認できるようにすることができる。システム１０の部品間で送信される情報又はデータは、例えば部品のオン／オフ電源状態、部品の現在の動作状態、現在のセンサデータ、及びパラメータ設定点を含むシステム１０の動作に関連する任意のタイプの情報であり得る。
【００５４】
図２に、換気装置１４と加湿器２０との間の情報の流れの例を示す。上述のように、換気装置１４に関する情報は、通信接続５０上で加湿器２０へ送信され得る。ブロック６０に示すように、換気装置１４（又は他の流れ発生器）に関する情報又はデータは、換気装置の動作に関連する任意の情報（例えば流量、換気波形（呼吸パターン）、エラー状態、及び圧力）を含み得る。加湿器２０は、この情報を利用して、より良好な湿度発生、呼吸回路結露管理、及び改善された誤り検出率を提供するために加湿器２０の動作パラメータの最適化を支援することができる。ブロック６２に示すように、加湿器２０又は呼吸回路４０に関する情報又はデータ（集合的に「加湿器データ」）は、通信接続５０上で換気装置１４へ送信され得る。加湿器データは、加湿器２０の状態又は動作に関する任意の情報、例えば温度情報、エラー状態、又はアラーム条件、又は呼吸回路４０のコンプライアンス、リーク速度、及びデッドスペースを含み得る。
【００５５】
図３を参照すると、換気装置１４を有する加湿器２０又は他の流れ発生器を動作させるための処理フロー又は制御ルーチン７０の例が示されている。ブロック７２では、通信接続５０を介した電子通信などの通信が加湿器２０と換気装置１４との間で確立される。通信は、任意の好適な通信プロトコルを使用することにより任意の好適な時間に確立され得る。通信は、換気装置１４、加湿器２０、又はシステム１０の別の部品により開始され得る。通信は一旦確立されると維持され得る、又は換気装置１４又は加湿器２０がオンにされる又は電源が入れられるたびに、又は加湿器２０又は他のシステム部品が送信すべき新しい情報を有すると、などの他の発生又は条件に応じて開始又は再設定され得る。いくつかの構成では、流れ発生器１４と加湿器２０は通信チャネルが常に利用可能となるように互いに一体化され得る。
【００５６】
ブロック７４では、流れ発生器又は換気装置１４は加湿器２０の動作パラメータを設定する（例えば、識別する、読む、選択する、調整する、確認する）。動作パラメータは、利用される特定の加湿器２０上で入手可能な又は調整又は選択可能な任意のパラメータ又は一組のパラメータであり得る。動作パラメータは、加湿器の１つ又は複数の動作モードを含み得る。動作パラメータ又はモードは、換気装置１４などの利用される流れ発生器のタイプに関係し得る、又は換気装置１４又は他の流れ発生器の動作モードに関係し得る。
【００５７】
加湿器２０の動作パラメータは、換気装置１４により自動的に又はユーザインターフェース１６を使用して手動的に設定され得る。例えば、利用可能動作モード又はパラメータを換気装置１４へ伝達することができ、換気装置１４は、換気装置タイプ又は換気装置動作モードなどの換気装置情報又はデータに基づき、動作モード又は動作パラメータを設定できる。このような構成により、加湿器２０は、システム１０のユーザによる追加行為無しに、流れ発生器１４のタイプ又は治療のタイプに適切な動作モードで自動的に配置されることになる。別の構成では、加湿器２０は換気装置又は流れ発生器１４に情報を問い合わせ、換気装置又は流れ発生器１４情報に応じて加湿器２０動作パラメータ又はモードを設定できるかもしれない。
【００５８】
又は、換気装置１４のユーザインターフェース１６は、加湿器２０の動作パラメータ又は動作モードを設定するために利用され得る。換気装置１４のユーザインターフェース１６は、加湿器２０のユーザインターフェースを置換する、又は別のインターフェースを提供することができる。換気装置１４のユーザインターフェース１６は、加湿器２０の利用可能な動作パラメータ又は動作モードを表示するメニューであってユーザインターフェース１６を介しユーザにより設定できるメニューを含むことができる。いくつかの構成では、ユーザに加湿器２０の動作パラメータ又は動作モードを設定するように指示するためにプロンプトをユーザインターフェース１６上に表示することができる。例えば、加湿器２０は、あるタイプの流れ発生器又は流れ発生器のある動作モードに不適切な又は望ましくないデフォルトモードを有し得る。したがって、プロンプトは、ユーザが加湿器２０を適切な動作モードに設定する尤度を増加することができる。いくつかのケースでは、換気装置１４又は他の流れ発生器は加湿器２０の動作パラメータ又は動作モードがユーザにより設定されるまで無効状態のままであり得る。このような構成は、加湿器２０が、換気装置１４又は他の流れ発生器の現在の動作モードに理想的ではないかもしれないデフォルトモード又は以前のモードで動作する状況を回避する。
【００５９】
図４を参照すると、システムデータを換気装置１４又は他の流れ発生器へ提供するための流れ処理又は制御ルーチン８０。ブロック８２では、加湿器２０は任意の好適な構成を介し呼吸回路４０を特定する。例えば、加湿器２０は、呼吸回路４０が加湿器２０の近傍内に収められる又は加湿器２０へ接続される場合、呼吸回路４０を自動的に特定することができる。したがって、加湿器２０と呼吸回路４０は、識別データを呼吸回路４０から加湿器２０へ転送するデータ転送構成を有することができる。データ転送構成は、ＲＦＩＤタグ及び受信器、電子的ピン及び受信器、自動バーコード読み取り装置、又は任意の他の好適なデータ転送構成を含むことができる。呼吸回路４０の識別はまた、呼吸回路の特性を特定する加湿器２０に基づき達成されるかもしれない。呼吸回路４０の識別は、例えば呼吸回路識別情報の手動バーコード読み取り装置により又は加湿器２０のユーザインターフェース内への呼吸回路識別情報の入力によりなど手動で達成されるかもしれない。
【００６０】
ブロック８４では、加湿器２０は、呼吸回路４０に関する情報又はデータ及び／又は加湿器２０に関する情報又はデータを換気装置１４へ送信する。呼吸回路データは、呼吸ガスの流れの送出を精密に制御する際に換気装置１４を支援し得る呼吸回路４０のコンプライアンス情報、リーク速度情報、デッドスペース情報、又は性質、特性、又は動作に関する他の関連情報を含み得る。加湿器データは、呼吸ガスの流れの送出を精密に制御する際に換気装置１４を支援し得る加湿器２０の温度情報、湿度情報、室容積情報、又は性質又は特性に関する他の関連情報を含み得る。
【００６１】
ブロック８６では、換気装置１４又は他の流れ発生器は、呼吸回路データ及び／又は加湿器データに基づき動作パラメータ又は動作モードを設定又は確認することができる。例えば、換気装置１４は、実際の患者の一回呼吸量をより正確に判断するために呼吸回路データを利用することができる。
【００６２】
図５は、加湿器２０が動作パラメータ又は動作モードを設定又は確認するためにデータを利用できるように、換気装置１４又は他の流れ発生器に関する情報を加湿器２０へ送信するための流れ処理又は制御ルーチン９０の例を示す。ブロック９２では、通信が換気装置１４と加湿器２０との間で確立される。図１と図３に関連して上に論述したように、通信は、任意の好適な通信プロセス又はプロトコルを使用して、通信接続５０などの任意の好適な接続を介し確立され得る。通信が換気装置１４と加湿器２０との間で確立されると、ブロック９４では、換気装置１４は換気装置１４に関する情報又はデータを加湿器２０へ送信する。換気装置データは、加湿器２０から送出される呼吸ガスの流れの温度及び／又は湿度を精密に制御する際に加湿器２０を支援するための流量情報、波形（呼吸パターン）情報、エラー状態情報、圧力情報、又は任意の他の関連情報を含み得る。
【００６３】
ブロック９６では、加湿器２０は、換気装置データを利用して、加湿器２０の動作を改善するために加湿器２０の動作パラメータ又は動作モードを設定又は確認することができる。例えば、換気装置データを利用することにより、加湿器２０はより良好な湿度発生、呼吸回路凝結管理を実現し、誤り検出率を改善することができる。有利には、このような構成は、加湿器が換気装置データを受信しない構成に比べて加湿器２０の性能の改善をもたらすことができる。大抵の既存構成では、加湿器は、加湿器機能に関連する呼吸ガスの流れに関する情報を判断するために自身のセンサに依存する。呼吸ガスパラメータの測定の不正確性としたがって加湿器の制御の不正確性は、例えばセンサの応答時間又はセンサの物理的位置の結果としての遅延のために導入され得る。本システム及び方法のいくつかの実施形態は、換気装置１４がまた、呼吸ガスの流れの精密な制御を達成するために呼吸ガスに関するパラメータを測定するためのセンサを含むということと、この情報が加湿器２０と共有されれば加湿器２０の性能の改善をもたらし得るということとの実現に関わる。
【００６４】
例えば、換気装置１４は測定又は制御されたパラメータを加湿器２０へ出力することができ、加湿器２０はその動作を制御することができる、又は加湿器２０の動作又は精度を改善するためにフィードバック制御として換気装置データと組み合わせて加湿器２０センサにより提供される情報を利用することができる。例えば、加湿器２０は、例えば比例微分積分（ＰＩＤ：ｐｒｏｐｏｒｔｉｏｎａｌ，ｉｎｔｅｇｒａｌ  ａｎｄ  ｄｅｒｉｖａｔｉｖｅ）係数、患者終了温度設定点、ヒータープレート設定点などの制御パラメータのうちの１つ又は複数を適合化することができる、又はそうでなければ、湿度発生及び送出に関するより良好な応答とアラームを提供するために換気装置データを使用することによりその発熱部品（例えば、ヒータープレート及びヒーター線）又は他の部品を動作させることができる。特定の一用途では、呼吸ガスの流れが遮断又は停止されれば、換気装置１４は加湿器２０に直ちに通知することができ、加湿器２０はすべての発熱部品を遮断することにより、したがって流れが再開すると過熱ガスを供給する機会を低減することにより応答することができる。換気装置１４と加湿器２０との間の通信により、発熱部品の遮断は、加湿器２０がガス流の遮断又は停止を判断するためにそれ自身のセンサに依存する場合より、より迅速に発生し得る。
【００６５】
図６は、上記システム１０と好適には同様な呼吸器加湿システム１００を示す。したがって、システム１０と同じ又は同様な部品を示すために同じ参照番号が使用される。システム１００は、ユーザインターフェース１６を有する換気装置１４などの流れ発生器を含む。換気装置１４は、呼吸ガスの流れを供給管２２を介し加湿器２０へ供給する。図示しないが、呼吸ガス源は呼吸ガスを換気装置１４へ供給することができる。加湿器２０は加湿呼吸ガスの流れを提供管２４を介し患者インターフェース１２へ供給する。図示しないが、加湿器２０は補充目的のために水又は他の流体源に接続され得る。患者インターフェース１２は呼気ガスを呼気管３２へ送出する。任意選択的呼気圧装置３０は呼気管３２により患者インターフェース１２へ接続され得る。上に述べたように、指定すれば、呼気圧装置３０は換気装置１４から離れて配置され得る、又は換気装置１４に配置され得る、又は換気装置１４と一体化され得、この場合、呼気管３２は図６の破線により示されるように換気装置１４まで延長することができる。呼吸回路４０は、呼気管３２と共に供給管２２、２４を含むことができる。好適には、換気装置１４と加湿器２０は通信のために通信接続５０により互いに電子的に接続される。同様に、加湿器２０と呼吸回路４０は好適には、通信のために通信接続５２により互いに電子的に接続される。
【００６６】
図示のシステム１００は、通信のために、好適な通信接続１０４（有線又は無線であり得る）により中央監視システム１０２などの外部記憶装置又は監視装置へ接続される。中央監視システム１０２は通常、システム１００から離れて配置され、遠隔地からの監視を可能にするためにシステム１００から情報を収集し表示することができる。通常、中央監視システム１０２は、システム１００と同様なもの又は異なるものを含む複数の個々の患者システムからデータを収集し表示する。したがって、中央監視システム１０２は複数の患者システムの遠隔監視を可能にする。中央監視システム１０２として示されたが、システム１００はまた、電子式患者データ記録システムなどの他のタイプの外部、遠隔、又は中央システムとの通信のために構成することができる。電子式患者記録管理はますます一般的になっており、患者診断のために、故障発見のために、及び紙記録を補足又は置換するために使用される。したがって、システム１００はデータを電子式患者データ記録システムへ発行するように構成され得る。本明細書で使用されるように、中央監視システム１０２への参照は、特記しない限り、電子式患者データ記録システムなどの他の外部、遠隔、又は中央システムを含む。
【００６７】
好適には、システム１００と中央監視システム１０２との間の通信接続１０４はシステム１００端上の換気装置１４から発する。したがって、好適には、システム１００からのデータは換気装置１４（又は他の流れ発生器）を介し中央監視システム１０２へ伝達される。換気装置を含む呼吸器加湿システムでは、加湿器はしばしば支援装置と見なされる。
したがって、換気装置は、加湿器よりむしろ中央監視システムへ接続される可能性が高い。加湿器が中央監視システムと通信可能だとしても、換気装置に加えて、加湿器に利用可能な接続ポートが存在しないかもしれない。接続ポートが利用可能であってとしても、有線システムでは、換気装置と加湿器の個別接続はシステムから接続ポートへ延長する２本のケーブルをもたらすので、不便となり得る。
【００６８】
有利には、図示のシステム１００では、換気装置１４は、加湿器２０又は呼吸回路４０などの他のシステム部品から情報を収集し、同情報を換気装置データと共に中央監視システム１０２へ送信することができる。したがって、加湿器データ又は他のシステムデータは、加湿器２０を中央監視システム１０２と直接通信可能にする必要無く、中央監視システム１０２へ提供される情報に含まれ得る。したがって、本監視データ又は記録管理データは、換気装置データだけが送信されるシステムよりもより完全である。換気装置１４を介し中央監視システム１０２へ転送される加湿器データ又は他のシステムデータは、任意の通常動作パラメータ、アラーム条件、使用期間などを含み得る。
【００６９】
いくつかの構成では、システム１００は、例えば任意選択的な有線又は無線通信接続１０６を介した加湿器２０と中央監視システム１０２との間の直通通信を提供することができる。このような構成では、加湿器２０と中央監視システム１０２との間でシステムデータを伝達することができる。システムデータは加湿器２０に関する情報を含み得る、又はいくつかの構成では、加湿器２０は、加湿器２０と中央監視システム１０２との間で伝達されるシステムデータが加湿器２０に加えて又はそれ以外のシステム部品からの情報を含むように、他のシステム部品から情報を取得することができる。例えば、他のシステム部品（例えば、呼吸装置１４又は呼吸回路４０）は情報を加湿器２０へ提供することができる。加湿器２０は通信接続１０６を介し中央監視システム１０２へシステムデータを送信することができる。
【００７０】
図７は、換気装置１４を介し加湿器データ又は他のシステムデータを中央監視システム１０２へ提供するために図６のシステム１００により利用することができる処理フロー又は制御ルーチン１１０の例を示す。ブロック１１２では、通信が上述のように換気装置１４と加湿器２０との間で確立される。ブロック１１４では、加湿器２０は、加湿器データ、呼吸回路データ又は他のシステムデータ（集合的に「加湿器データ」）などのデータを換気装置１４へ送信する。ブロック１１６では、換気装置１４は通信接続１０４を介しデータを中央監視システム１０２へ送信する。換気装置１４は加湿器データを換気装置データとは別個に中央監視システム１０２へ送信することができる、又は、換気装置１４は換気装置データと加湿器データを集約し、集約したデータを単一データセットとして送ることができる。換気装置１４は任意の好適な通信プロトコルを介しデータを中央監視システム１０２へ送信することができる。
【００７１】
図８に、好適には上記システム１０及び１００と同様である別のシステム１５０を示す。したがって、同じ又は同様な部品を参照するために同じ参照番号が使用される。システム１５０はユーザインターフェース１６を有する換気装置１４などの流れ発生器を含む。
換気装置１４は供給管２２を介し呼吸ガスの流れを加湿器２０へ供給する。図示しないが、呼吸ガス源は呼吸ガスを換気装置１４へ供給することができる。加湿器２０は供給管２４を介し加湿呼吸ガスの流れを患者インターフェース１２へ提供する。図示しないが、加湿器２０は補充目的のために水又は他の流体源へ接続され得る。患者インターフェース１２は呼気ガスを呼気管３２へ送出する。任意選択的呼気圧装置３０は呼気管３２により患者インターフェース１２へ接続され得る。上に述べたように、指定すれば、呼気圧装置３０は換気装置１４から離れて配置され得る、又は換気装置１４に配置され得る、又は換気装置１４と一体化され得、この場合、呼気管３２は図８の破線により示されたように換気装置１４まで延長することができる。呼吸回路４０は、呼気管３２と共に供給管２２、２４を含むことができる。好適には、換気装置１４と加湿器２０は通信のために通信接続５０により互いに電子的に接続される。同様に、加湿器２０と呼吸回路４０は好適には、通信のために通信接続５２により互いに電子的に接続される。
【００７２】
図示のシステム１５０は患者近傍の又は周辺の領域の周囲温度を調節するように構成された温度調節装置１５２などの周辺部品又は装置を内蔵する。温度調節装置により制御される環境は患者を完全に又は部分的に取り囲むことができる。図示の構成では、温度調節装置は、インキュベータ１５２内の空間の温度を調節することができる保育器などのインキュベータ１５２である。インキュベータ１５２は通常、インキュベータ１５２を囲む領域の周囲温度に比べ上昇された温度の環境を提供する。しかし、上昇又は低下された局所温度環境を提供する他のタイプの温度調節装置も使用することができる。したがって、温度調節装置はまた冷却装置であり得る。用語「インキュベータ」は、システム１５０の特定の一例を説明する際の都合上本明細書で使用される。しかし、本開示がインキュベータに特有であるということが特に明記されない限り又は文脈から明らかでない限り、本用語はまた、他のタイプの温度調節装置に適用するように意図される。好適には、システム１５０は、インキュベータ１５２と加湿器２０との間の電子通信を可能にするために任意の好適な通信プロトコルを使用する任意の好適な接続であり得るインキュベータ１５２と加湿器２０との間の通信接続１５４を含む。接続１５４は有線でも無線でもよい。
【００７３】
図示の構成では、加湿器２０はインキュベータ１５２の外部にあり、患者インターフェース１２はインキュベータ１５２内にある。供給管２４は、インキュベータ１５２の外部にある加湿器２０からインキュベータ１５２内の患者インターフェース１２まで延びる。
供給管２４は単独管であり得る、又はインキュベータ１５２の外部の管部分とインキュベータ１５２内の管部分とを有することができる。図示の供給管２４は、好適な接続１６０により加湿器２０へ接続される少なくとも１つのセンサ（概して、１５６）を含む。センサ１５６は、供給管２４内の加湿呼吸ガスの１つ又は複数のパラメータ（例えば、温度及び／又は流量）を検知し、当該情報を加湿器２０へ伝達する。加湿器２０は、呼吸ガスの温度又は湿度を制御するためにセンサ１５６からの情報を利用する。センサ１５６は、インキュベータ１５２の外側（センサ１５６ａ）又はインキュベータの内側（センサ１５６ｂ）に配置され得る。いくつかの構成では、センサ１５６ａ及び１５６ｂの両方を設けることができる。
【００７４】
図示の構成はまた、熱エネルギーを供給管２４内の呼吸ガスの流れへ送ることができる加熱素子１６２を含む。加熱素子１６２は、供給管２４を囲むものとして図８では概略図的に示されるが、供給管２４の壁内に含まれ得る、又はそうでなければ供給管２４と一体化され得る。加熱素子１６２は加湿器２０により電力が供給される。加湿器２０は、例えば供給管２４内の呼吸ガスの流れの温度を制御するために加熱素子１６２を動作させて熱損失を補償することができる。
【００７５】
有利には、図示のシステム１５０は、インキュベータ１５２の動作条件に関する情報をインキュベータ１５２が加湿器２０へ伝達できるようにする。加湿器２０は患者インターフェース１２へ送出される呼吸ガスのパラメータをより良好に制御するためにインキュベータ情報を利用することができる。例えば、センサ１５６により提供される情報はセンサ位置に依存するため、加湿器２０はしばしば、供給管２４全体に沿った環境条件に関する不完全な情報を有する。インキュベータを含むシステムでは、センサの位置は（インキュベータ環境の内側にあるか外側にあるかにかかわらず）、加湿器と患者インターフェースとの間の供給管全体に沿った環境の不完全な描写を提供する。インキュベータの外部のセンサとインキュベータ内のセンサなどの多センサを採用することができるが、この解決策はシステムのコストと複雑さを生憎増加する。センサをインキュベータの外部に配置した場合、温度制御はインキュベータの外部の環境条件に基づくが、インキュベータ内の温度が呼吸ガスの流れの目標温度の上か下かに依存して、呼吸ガスの流れの過熱と、所望又は目標のレベル又は凝結からの湿度の低下とをもたらし得る。センサをインキュベータ内部に配置した場合、温度制御は、通常インキュベータの外部の条件より暖かいインキュベータの内部の環境条件に基づく。その結果、加湿器は十分な熱を呼吸ガスに供給しないかもしれなく、凝結を生じ得る。
【００７６】
図示の構成により、センサ１５６はインキュベータ１５２の外に配置され得、インキュベータ１５２は、供給管２４の関連部分（例えば、インキュベータ１５２の外側とインキュベータ１５２の内側）に沿った条件のより完全な描写を提供するためにインキュベータデータを加湿器２０へ提供することができる。インキュベータデータは、加湿呼吸ガスの送出の精密な制御を行う際に加湿器２０を支援する任意の関連情報（現在温度と温度設定点など）を含み得る。１つの構成では、センサ１５６ａはインキュベータ１５２の外側（インキュベータ１５２の直ぐ前の供給管２４の部分の端など）に設けられる。現在温度及び／又は温度設定点を使用することにより、加湿器２０は、インキュベータ１５２の外側から内側への呼吸ガスの流れにより経験される条件の変化を補償するために、インキュベータ１５２の外側の条件（センサ１５６ａを介し）とインキュベータ１５２の内部の条件（インキュベータデータを介し）とを考慮して、送出された呼吸ガスの温度と湿度を制御することができる。したがって、インキュベータ延長管は加熱されないということと、インキュベータ温度は呼吸ガスの温度より低いということを仮定すると、呼吸管２４温度設定点の端（センサ１５６ａにおける、又はインキュベータ１５２の丁度前の管部の端における）は、インキュベータ１５２内の供給管２４の部分（すなわちインキュベータ延長管）の温度低下を補償するために動的に調節され得る。呼吸管２４設定点の端は、恐らくいくつかある要素の中でもインキュベータ温度とガス流量とに依存し得る。
【００７７】
１つの構成では、インキュベータ１５２内の供給管２４の部分すなわちインキュベータ延長管内の呼吸ガスの流れに熱エネルギーを印加するために第２の加熱素子１６４を設けることができる。好適には、第２の加熱素子１６４は、第１の加熱素子１６２とは別個に加湿器２０により制御可能である。したがって、加湿器２０は、インキュベータ１５２の外側の供給管２４の部分内のガスに比べて異なる量（異なる印加熱エネルギー）だけ、インキュベータ延長管内のガスを加熱することができる。有利には、このような構成は、加熱素子１６２のフィードバック制御と加熱素子１６４のフィードフォワード制御を行うためにセンサ１５６ａからのデータを利用することができる。加熱素子１６４のフィードフォワード制御はインキュベータ１５２現在温度又は温度設定点に基づき得る。したがって、余分のセンサ１５６ｂは必要でないが、必要に応じ設けることができる。例えば、センサ１５６ｂは、センサ１５６ａに対する安全バックアップとして働く、又はインキュベータ１５２からの温度情報を検証する、又はインキュベータ１５２のセンサに対する安全バックアップとして働くことが望ましい。このような構成は、費用効率が高いやり方で、インキュベータ１５２の外側の供給管２４の部分とインキュベータ内の供給管２４の延長管部分との両方内の呼吸ガスの流れの温度及び／又は湿度の精密な制御を可能にする。インキュベータ１５２を自動又は手動のいずれかで動作させるために加湿器２０を使用することができるかもしれない。例えば、システム１５０のユーザが通信接続１５４上でインキュベータ１５２を動作させることができるようにするために、加湿器２０のユーザインターフェースを利用することができるかもしれない。他の構成では、加湿器２０は、インキュベータ１５２を動作させる（例えば、動作パラメータ又は動作モードを設定する）ために制御信号を自動的に送ることができるかもしれない。
【００７８】
図９は、通信接続１５４上のインキュベータ１５２から加湿器２０へのインキュベータデータ１６６の流れの例を示す。ブロック１６６に示すように、インキュベータデータは、流れ呼吸ガスの温度と湿度とを精密に制御する際に加湿器２０を支援し得るインキュベータ１５２の動作パラメータ又は動作条件に関する任意の関連情報（インキュベータ現在温度とインキュベータ温度設定点を含む）を含み得る。インキュベータデータ１６６はまた、換気装置１４と中央監視システム（図示せず）又は他の遠隔又は外部メモリ又は監視装置（例えば図６の中央監視システム１０２）へ送信され得る。
【００７９】
図１０は、インキュベータ１５２から加湿器２０へ送信されるインキュベータデータ１６６に基づき加湿器２０を動作させるための処理フロー又は制御ルーチン１７０の例を示す。ブロック１７２では、通信は、他の開示された通信接続に関して上で述べたものを含む任意の好適な方法又はプロトコルにより加湿器２０とインキュベータ１５２との間で確立される。ブロック１７４では、インキュベータはインキュベータデータ１６６を加湿器２０へ送信する。ブロック１７６では、加湿器２０はデータ１６６を使用して動作パラメータ又は動作モードを設定又は確認する。加湿器２０は、動作パラメータ（例えば、加湿器２０内の温度と加熱素子１６２又は１６４の電力レベル）を設定するために他の情報（例えば、ガス流量）と共に加湿器データを使用することができる。ブロック１７４と１７６の作業は、制御ループを確立するために所望の頻度で繰り返され得る。
【００８０】
図１１は、好適には上記システム１０、１００及び１５０と同様である別のシステム１８０を示す。したがって、同じ又は同様な部品を参照するために同じ参照番号が使用される。システム１８０は、ユーザインターフェース１６を有する換気装置１４などの流れ発生器を含む。換気装置１４は、供給管２２を介し呼吸ガスの流れを加湿器２０へ供給する。図示しないが、呼吸ガス源は呼吸ガスを換気装置１４へ供給することができる。加湿器２０は、供給管２４を介し加湿呼吸ガスの流れを患者インターフェース１２へ供給する。
図示しないが、加湿器２０は補充目的のために水又は他の流体源へ接続され得る。患者インターフェース１２は呼気ガスを呼気管３２へ送出する。任意選択的呼気圧装置３０は呼気管３２により患者インターフェース１２へ接続され得る。上に述べたように、指定すれば、呼気圧装置３０は換気装置１４から離れて配置され得る、又は換気装置１４に配置され得る、又は換気装置１４と一体化され得、この場合、呼気管３２は換気装置１４まで延長することができる（図１１に示さず）。呼吸回路４０は、呼気管３２と共に供給管２２、２４を含むことができる。好適には、換気装置１４と加湿器２０は通信のために通信接続５０により互いに電子的に接続される。同様に、加湿器２０と呼吸回路４０は好適には、通信のために通信接続５２により互いに電子的に接続される。
【００８１】
システム１８０はまた、加湿器２０との電子通信のために構成される１つ又は複数の追加システム部品（周辺部品又は装置と呼び得る）を含む。図示のシステム１８０では、物質を蒸発ミストの形態で呼吸回路４０まで送出するために、ネブライザ１８２などの薬物送出装置がシステム１８０に内蔵される。ネブライザ１８２は呼吸回路４０の供給管２４と直接通信し得る。ネブライザ１８２は、任意の好適な通信プロトコルを使用することにより、有線でも無線でもよい好適な通信接続１８４を介し加湿器２０と通信する。図示の加湿器２０は、好適にはディスプレイを含むユーザインターフェース１８６を含む。システム１８０は、ネブライザ１８２がネブライザの動作に関する情報（ネブライザデータ）を加湿器２０へ送信できるようにするように構成される。加湿器２０はネブライザデータを受信し、同データをユーザインターフェース１８６上に表示することができる。このような構成により、ネブライザ１８２はユーザディスプレイを省略できるようになり、ネブライザ１８２のコストを低減するとともにシステム１８０内の特徴の重複を回避することができる。いくつかの構成では、システム１８０は、加湿器２０が制御信号などの情報をネブライザ１８２へ送ることができるようにするように構成される。したがって、ネブライザ１８２はまた、ユーザインターフェースを省略して、ネブライザ１８２のコストをさらに低減することができる。ユーザインターフェース機能は、加湿器２０のユーザインターフェース１８６により達成され得る。従来のシステム１０、１００、１５０の動作と同様に、システム１８０の加湿器２０は、加湿器２０と全体システム１８０の動作を改善するためにネブライザデータを利用することができる。例えば、ネブライザデータはネブライザの過熱などのアラーム条件を含み得、アラーム条件又はアラーム機能が特定のネブライザにより提供されれば加湿器２０（又は他のシステム部品）はこれらの情報を利用することができる。このような情報に応じて、加湿器２０は、ネブライザ１８２の熱を低減するのを支援するために迅速に反応してすべての加熱素子を遮断することができる。
【００８２】
システム１８０はまた、例えばパルス酸素濃度計などの測定装置であり得る別の周辺装置又は部品１９０を含むことができる。パルス酸素濃度計１９０は、任意の好適な通信プロトコルを使用することにより、有線でも無線でもよい好適な通信接続１９２を介し加湿器２０と通信することができる。ネブライザ１８２と同様に、パルス酸素濃度計１９０は、パルス酸素濃度計１９０情報又はデータの表示を可能にし必要に応じパルス酸素濃度計１９０がそれ自身のユーザインターフェースを有する必要無くパルス酸素濃度計１９０のパラメータの設定を可能にすることができる加湿器２０のユーザインターフェース１８６を利用することができる。パルス酸素濃度計１９０データはいくつかある関連データの中でも酸素飽和度（ＳｐＯ２）を含み得る。このような構成は、機能を維持又は改善する一方でパルス酸素濃度計１９０のコストを低減することができる。加湿器２０はまた、ネブライザ１８２、パルス酸素濃度計１９０などの任意の周辺装置に関するデータを換気装置１４へ送信することができる。換気装置１４は同データを利用して、換気装置１４の動作パラメータを制御する、又は同データを別の部品又は例えば中央監視システム又は患者記録のシステムなどのシステムへ発行することができる。別の構成では、周辺装置１８２、１９０（又は任意の他の周辺装置）は、換気装置１４との、又は加湿器２０の代わりに又はそれに加えてユーザインターフェースを含む他のシステム部品との通信のために構成されるかもしれない。
【００８３】
図１２は、システム１８０と同様であるが換気装置１４を省略した別のシステム２００を示す。システム２００では、加湿器２０は加湿大気又は加湿室内空気を患者インターフェース１２へ単に供給し得る。加湿器２０は、空気又は他のガスの流れを生成するために内部流れ源を有するかもしれない。又は、呼吸ガスの流れは、例えば非電子式呼吸ガス源（機械的流量調節器又はガス混合器、ガスボンベ、又はガス壁源などの）により提供され得る。他の点では、システム２００は好適にはシステム１８０と同様であり、任意の好適な通信プロトコルを使用することにより好適な通信接続２０４を介し加湿器２０と周辺装置２０２の通信を可能にする。
【００８４】
図１３は、データを表示するための、又は周辺装置１８２、１９０、２０２の制御を可能にするための、又は加湿器２０が図１１のシステム１８０又は図１２のシステム２００内のデータに基づき動作できるようにするための、処理フロー又は制御ルーチン２１０の例を示す。ブロック２１２では、通信は、上に説明したものなど任意の好適な方法又はプロトコルを使用することにより加湿器２０と周辺装置１８２、１９０、２０２との間で確立される。ブロック２１４では、周辺装置１８２、１９０、２０２は、周辺装置１８２、１９０、２０２の動作に関する任意の関連情報を含み得るデータを加湿器２０へ送信する。ブロック２１６では、適切ならば、加湿器２０は周辺装置データの一部又はすべてを加湿器２０のユーザインターフェース１８６上に表示する。ブロック２１８では、適切ならば、加湿器２０は周辺装置データに基づき動作パラメータ又は動作モードを設定又は確認することができる。例えば、周辺装置がネブライザ１８２である場合、ネブライザデータはアラーム条件（例えば、ネブライザの過熱）を含むことができ、それに応じて、加湿器２０は適切な行動を取る（例えば、加熱素子を遮断する）ことができる。それに加えて、周辺装置１８２、１９０、２０２のパラメータを設定するために加湿器２０のユーザインターフェース１８６を利用することができる。
【００８５】
本明細書に開示されたシステムのいくつかでは、流れ発生器は単なる例のための換気装置として説明された。しかし、本システムは、呼吸ガスの流れを送出することができる任意のタイプの換気装置又は任意の他のタイプの流れ発生器を含むことができる。例えば、流れ発生器は、持続的気道陽圧（ＣＰＡＰ）機械、可変又は２レベル気道陽圧（ＶＰＡＰ：ｖａｒｉａｂｌｅ  ｐｏｓｉｔｉｖｅ  ａｉｒｗａｙ  ｐｒｅｓｓｕｒｅ又はＢＰＡＰ：ｂｉ−ｌｅｖｅｌ  ｐｏｓｉｔｉｖｅ  ａｉｒｗａｙ  ｐｒｅｓｓｕｒｅ）機械、幼児呼吸装置、又はこのようなモードのうちの１つ又は複数で動作することができる機械であり得る。流れ発生器はまた、例えば電子式ガス混合器、ボンベガス、又は壁ガス源からのガスであるかもしれない。したがって、本明細書における用語「換気装置」の使用は一例としてであり、限定するものではない。
【００８６】
本発明はいくつかの好ましい実施形態と実施例との文脈で開示されたが、本発明が具体的に開示された実施形態を越えて他の別の実施形態及び／又は本発明の利用、本発明の明白な修正と等価物に拡大することは当業者により理解されるだろう。特に、本システムは特に好ましい実施形態の文脈で説明されたが、当業者は、本開示に照らして、本システムのいくつかの利点、特徴、及び態様（その多くは上に述べられた）が多種多様な他の用途において実現され得るということが分かるだろう。加えて、説明された本発明の様々な態様と特徴は別々に実施され、組み合わせられ、又は別のものと置換され得ることと、これら特徴と態様の多種多様な結合と副結合がなされ、依然として本発明の範囲に入り得るということとが考えられる。したがって、本明細書で開示された本発明の範囲は、上記特定の開示実施形態により限定されるべきではなく、特許請求の範囲を公正に読むことだけにより判断されるべきであるように意図されている。
【００８７】
本明細書と特許請求の範囲を通して、「含む」、「含んだ」などの用語は包括的意味で（すなわち、文脈が明確に要求しない限り「含むが限定しない」という意味で）考えるべきである。
【００８８】
本発明は考えられる実施形態を参照して一例として説明されたが、修正又は改良は本発明の精神及び範囲を逸脱すること無く及びその付随する利点を損なうこと無くなされ得るということを理解すべきである。さらに、公知の等価物を有する、本発明の特定の部品又は整数に言及された場合、このような等価物は個々に説明されているかのように本明細書に取り込まれる。
【００８９】
本明細書を通して背景技術のいかなる論述も決して、このような技術が周知である又は当該技術分野における共通一般的知識の一部を形成するということを認めると考えるべきではない。
【図１】
2020163205.tif 000003
【図２】
2020163205.tif 000004
【図３】
2020163205.tif 000005
【図４】
2020163205.tif 000006
【図５】
2020163205.tif 000007
【図６】
2020163205.tif 000008
【図７】
2020163205.tif 000009
【図８】
2020163205.tif 000010
【図９】
2020163205.tif 000011
【図１０】
2020163205.tif 000012
【図１１】
2020163205.tif 000013
【図１２】
2020163205.tif 000014
【図１３】
2020163205.tif 000015
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
加湿された呼吸ガスの流れを出力するように構成された加湿器と、
前記加湿器から前記加湿された呼吸ガスの流れを受け取るように構成された呼吸回路と、
使用中において、前記呼吸回路から前記加湿された呼吸ガスの流れを受け取り、前記加湿された呼吸ガスの流れを患者へ送出するように構成された患者インターフェースと、
周辺装置と、
前記周辺装置と前記加湿器との間の電子通信を可能にするように構成された通信接続とを含む呼吸器加湿システム。
【請求項２】
前記加湿器は前記周辺装置からのデータに基づき前記加湿器の動作パラメータ又はモードを設定する、請求項１に記載の呼吸器加湿システム。
【請求項３】
前記加湿器はユーザインターフェースを含み、前記加湿器は前記周辺装置からのデータを前記ユーザインターフェース上に表示する、請求項１または２に記載の呼吸器加湿システム。
【請求項４】
前記加湿器は、ユーザが前記ユーザインターフェースを使用して前記周辺装置の動作パラメータ又はモードを設定できるようにするように構成される、請求項３に記載の呼吸器加湿システム。
【請求項５】
前記加湿器は、前記周辺装置からのデータを流れ発生器に送信するように構成される、請求項１に記載の呼吸器加湿システム。
【請求項６】
前記周辺装置は、流れ発生器と通信するように構成される、請求項１に記載の呼吸器加湿システム。
【請求項７】
前記周辺装置は流れ発生器又は温度調節装置を含む、請求項１に記載の呼吸器加湿システム。
【請求項８】
前記周辺装置は温度調節装置を含み、前記温度調節装置はインキュベータである、請求項１に記載の呼吸器加湿システム。
【請求項９】
前記加湿器は前記インキュベータの外側に配置され、
前記患者インターフェースは前記インキュベータ内に配置され、
前記呼吸回路は前記加湿器と前記患者インターフェースとの間に延長する、請求項８に記載の呼吸器加湿システム。
【請求項１０】
前記呼吸回路は、
前記インキュベータの外に配置された第１の部分と、
前記インキュベータ内に配置された第２の部分と、
熱エネルギーを前記第１の部分へ印加するように構成された第１の加熱素子と、
熱エネルギーを前記第２の部分へ印加するように構成された第２の加熱素子と、
加湿された呼吸ガスの流れのパラメータを検知するように構成され、前記第１の部分内に配置されたセンサとを含む、請求項８または９に記載の呼吸器加湿システム。